【手続補正書】
【提出日】平成24年3月5日(2012.3.5)
【手続補正１】
【補正対象書類名】特許請求の範囲
【補正対象項目名】全文
【補正方法】変更
【補正の内容】
【特許請求の範囲】
【請求項１】
レンズを保持する群鏡筒と、前記群鏡筒を保持する保持鏡筒とを有し、前記保持鏡筒に対し前記群鏡筒の光軸方向の位置調整を行い、調整後、調整位置で双方が固定されたレンズ鏡筒において、
前記保持鏡筒は、内周側に光軸中心放射方向に少なくとも三箇所設けられた凸形状のヘリコイドリードを有し、前記群鏡筒は前記保持鏡筒のヘリコイドリードに係合するヘリコイド係合部と、前記保持鏡筒との調整後の位置を固定するために固定ビスを取り付ける前記光軸方向に伸びるビス孔を有していることを特徴とするレンズ鏡筒。
【請求項２】
前記保持鏡筒のヘリコイドリードに沿って前記群鏡筒を光軸方向に位置調整した後、前記群鏡筒に設けられた前記ビス孔に前記固定ビスを取付け、前記群鏡筒のヘリコイド係合部と前記固定ビスの頭部分で保持鏡筒に設けられたヘリコイドリードのリフト面を挟み込むことにより、前記群鏡筒は、その位置が調整されて前記保持鏡筒に固定保持されていることを特徴とする請求項１のレンズ鏡筒。
【請求項３】
前記保持鏡筒に対し前記群鏡筒を光軸方向に位置調整した後、前記群鏡筒に設けられた前記ビス孔に固定ワッシャを介して前記固定ビスを取付け、前記固定ワッシャが保持鏡筒に設けられたヘリコイドリードのリフト面を抑え付ける事により、前記群鏡筒は、その位置が調整されて前記保持鏡筒に保持されていることを特徴とする請求項１のレンズ鏡筒。
【請求項４】
前記固定ワッシャは固定ビス取付け面に対し立ち曲げ部を有し、前記立ち曲げ部の端面が前記保持鏡筒のヘリコイドリードのリフト面を抑え付けることにより、前記群鏡筒は、その位置が調整されて前記保持鏡筒に保持されていることを特徴とする請求項３のレンズ鏡筒。
【請求項５】
前記群鏡筒の前記保持鏡筒とのヘリコイド係合部は、前記保持鏡筒のヘリコイドリードの１箇所に対し光軸を中心とした回転方向に幅を有し、位置を保持するための前記固定ワッシャは、１箇所のヘリコイド係合部を両側に分割する形で配置されていることを特徴とする請求項３又は４のレンズ鏡筒。
【請求項６】
レンズを保持する群鏡筒と、前記群鏡筒を保持する保持鏡筒とを有するレンズ鏡筒において、
前記保持鏡筒は、光軸方向に凸形状を有するヘリコイドリードを有し、
前記群鏡筒は、前記ヘリコイドリードとの当接位置を変えることで前記保持鏡筒に対する光軸方向の位置を調整可能なヘリコイド係合部と、前記ヘリコイドリードを前記ヘリコイド係合部とともに挟みこむための固定ワッシャと、前記光軸方向から前記固定ワッシャを前記ヘリコイド係合部に対して固定するための固定ビスとを有することを特徴とするレンズ鏡筒。
【請求項７】
前記固定ワッシャは、固定ビス取付け面に対して前記光軸方向に曲がった立ち曲げ部を有し、前記立ち曲げ部と前記ヘリコイド係合部とで前記ヘリコイドリードを挟みこんでいることを特徴とする請求項６のレンズ鏡筒。
【請求項８】
請求項１乃至７のいずれか１項のレンズ鏡筒を有していることを特徴とする光学機器。
【手続補正２】
【補正対象書類名】明細書
【補正対象項目名】００１１
【補正方法】変更
【補正の内容】
【００１１】
本発明のレンズ鏡筒は、レンズを保持する群鏡筒と、前記群鏡筒を保持する保持鏡筒とを有し、前記保持鏡筒に対し前記群鏡筒の光軸方向の位置調整を行い、調整後、調整位置で双方が固定されたレンズ鏡筒において、
前記保持鏡筒は、内周側に光軸中心放射方向に少なくとも三箇所設けられた凸形状のヘリコイドリードを有し、前記群鏡筒は前記保持鏡筒のヘリコイドリードに係合するヘリコイド係合部と、前記保持鏡筒との調整後の位置を固定するために固定ビスを取り付ける前記光軸方向に伸びるビス孔を有していることを特徴としている。
【手続補正３】
【補正対象書類名】明細書
【補正対象項目名】００１５
【補正方法】変更
【補正の内容】
【００１５】
次にデジタルカメラやビデオカメラ等の光学機器に好適な本発明のレンズ鏡筒の実施例について説明する。図１に本発明を実施したレンズ鏡筒のワイド状態の断面図、図２には部分分解斜視図を示す。図１、または図２において、１はカメラ（カメラ本体、不図示）と着脱自在に結合するためのマウント、２はマウント１が固定される後部環、３は後部環２により保持される固定筒、４は外装環である。後部環２にはマウント１を介して取り付けられたカメラ（カメラ本体）と通信してオートフォーカス、絞り駆動等の制御を行うための制御基板、オートフォーカスを行うためのアクチュエータ等を搭載したフォーカスユニット５が保持されている。更に後部環２にはフォーカスユニット５からの駆動力、あるいは手動操作により焦点調節を行うためのフォーカスリング２１、焦点距離調節を行うためのズームリング２２がそれぞれ光軸周りに回転可能に保持されている。更には外装環４には焦点調節のオートフォーカス、マニュアルフォーカスを切り換えるためのフォーカススイッチ２３、手振れ補正機能を作動させるための手振れ補正スイッチ２４が配置されている。
【手続補正４】
【補正対象書類名】明細書
【補正対象項目名】００１７
【補正方法】変更
【補正の内容】
【００１７】
更に固定筒３の外周にはフォーカスカム環９の光軸方向の位置を決定する補正カム３ｃが設けられている。また補正カム３ｃのカム面は型製作の際に型抜き方向に対しアンダーカットにならないように断面がテーパー形状をしている。カム環６の外周には直進筒７の光軸方向への進退量を有する１群カム６ａが設けられている。更に３群鏡筒１２と、５群鏡筒１４の進退量を有する３−５群カム６ｂが設けられている。更に４群鏡筒１３の進退量を有する４群カム６ｃが設けられている。更にフォーカスカム環９を光軸周りに回転させるための作動溝６ｄがそれぞれ円周方向に３箇所等分に配置されている。更にズームリング２２に固定された不図示であるズームキーが係合するためのズームキー係合部、固定筒３のカム環係合部により定位置回転自在に保持されるための摺動溝がそれぞれ設けられている。フォーカスカム環９には内周部に型成形により形成されているフォーカスカム９ａが設けられ、２群鏡筒１０に一体的に設けられたカムフォロワ１０ａがフォーカスカム９ａを挟むように係合している。また２群鏡筒１０にはフォーカスリング２１に一体的に設けられたキー部と係合し光軸周りの回転位置を保持されるキー受け部１０ｂを有している。
【手続補正５】
【補正対象書類名】明細書
【補正対象項目名】００２１
【補正方法】変更
【補正の内容】
【００２１】
次にレンズ鏡筒としての動作を説明する。図１、図２において焦点距離調節のためにズームリング２２を回転させると、ズームキー（不図示）により係合されているカム環６が光軸周りに定位置回転する。そして、１群直進溝３ａと１群カム６ａに挟持されたカムフォロワ（不図示）により直進筒７が光軸方向に直進移動する。同様に３−４群直進溝３ｂと３−５群カム６ｂに挟持されたカムフォロワ（不図示）により３群鏡筒１２、５群鏡筒１４が移動する。３−４群直進溝３ｂと４群カム６ｃに挟持されたカムフォロワにより４群鏡筒１３が、それぞれ光軸方向に移動する。またフォーカスカム環９はカム環６の作動溝６ｄに係合しているテーパーコロ１５によりカム環６の回転とともに光軸周りに回転しつつ補正カム３ｃに沿って光軸方向にも移動する。図４は図１において焦点距離調節を動作させた場合のテレ状態の断面図を示している。
【手続補正６】
【補正対象書類名】明細書
【補正対象項目名】００２４
【補正方法】変更
【補正の内容】
【００２４】
ここで２群鏡筒１０は直進筒７の内径部に嵌合しているため直進筒７が傾いた際には、同時に同方向に２群鏡筒１０も傾くこととなり、光学性能として変化が相殺される。また２群鏡筒１０が直進筒７に従って傾くとき、２群鏡筒１０の光軸方向の進退量を決定するために係合しているフォーカスカム環９は、固定筒３の補正カム３ｃにスプリング１７により付勢するよう構成している。スプリング１７の付勢力に抗することによりフォーカスカム環９も傾くことが可能である。またフォーカスカム環９の固定筒３に対する嵌合部は光軸方向に極短い嵌合長としているため、フォーカスカム環９が固定筒３に対し傾くことを容易にしている。
【手続補正７】
【補正対象書類名】明細書
【補正対象項目名】００２５
【補正方法】変更
【補正の内容】
【００２５】
以上のように本実施例では、直進筒７は、光軸を中心とした内周ネジ７ｃと、光軸中心放射方向に少なくとも三箇所設けられた内周側に凸形状となったヘリコイドリード７ｂを有している。又、１群鏡筒８は直進筒７のヘリコイドリード７ｂに係合し、当接位置を変えることで光軸方向の位置を調整可能なヘリコイド係合部８ａと、調整後位置を固定するため固定ビス２６を取り付けるビス孔８ｃを光軸方向に有している。これにより、１群鏡筒８をヘリコイドリード７ｂとフィルター取付けネジ７ｃを樹脂成形により形成した保持鏡筒（直進筒）７に対し係合させ、光軸方向の位置調整を行っている。その後、固定ビス２６によって１群鏡筒８を保持鏡筒７に高い保持強度で固定している。また１群鏡筒８のヘリコイド係合部８ａと固定ビス２６の頭部分で直進筒７に設けられたヘリコイドリード７ｂのリフト面を挟み込むことにより、１群鏡筒８の回転静圧に対しても十分な保持強度を確保している。
【手続補正８】
【補正対象書類名】明細書
【補正対象項目名】００２６
【補正方法】変更
【補正の内容】
【００２６】
１群鏡筒８に設けられたビス孔８ｃに固定ワッシャ２５を介して固定ビス２６を取付け、固定ワッシャ２５が直進筒７に設けられたヘリコイドリード７ｂのリフト面を抑え付ける事により、より強固な保持強度を得ている。更にまた、固定ワッシャ２５はビス取付け面（固定ビス取付け面）に対し立ち曲げ部２５ａを有し、立ち曲げ部２５ａの端面が直進筒７のヘリコイドリード７ｂのリフト面を抑え付けることにより、１群鏡筒８に設けた保持固定用のビス孔８ｃの、光軸方向の位置に自由度を与える。そしてビス孔８ｃ自体の掛かり深さを確保できるようにしている。また、１群鏡筒８のヘリコイド係合部８ａは、直進筒７のヘリコイドリードの１箇所に対し光軸を中心とした回転方向に幅を有し、位置を保持するための固定ワッシャ２５は、１箇所のヘリコイド係合部を両側に分割する形で配置される。これにより、ヘリコイド係合部８ａと固定ワッシャ２５により保持鏡筒のヘリコイドリード７ｂをクランプする形態となり、より強固な保持構造としている。
【手続補正９】
【補正対象書類名】明細書
【補正対象項目名】００２９
【補正方法】変更
【補正の内容】
【００２９】
１・・・マウント、２・・・後部環、３・・・固定筒、３ａ・・・１群直進溝、３ｂ・・・３−４群直進溝、３ｃ・・・補正カム、４・・・外装環、５・・・フォーカスユニット、６・・・カム環、６ａ・・・１群カム、６ｂ・・・３−５群カム、６ｃ・・・４群カム、６ｄ・・・作動溝、７・・・直進筒、７ａ・・・２群嵌合部、７ｂ・・・ヘリコイドリード部、７ｃ・・・フィルターネジ、８・・・１群鏡筒、８ａ・・・ヘリコイド係合部、８ｂ・・・ワッシャ座、８ｃ・・・ビス孔、９・・・フォーカスカム環、９ａ・・・フォーカスカム、９ｂ・・・嵌合部、１０・・・２群鏡筒、１１・・・絞りユニット、１２・・・３群鏡筒、１３・・・４群鏡筒、１４・・・５群鏡筒、１５・・・テーパーコロ、１６・・・軸ビス、１７・・・スプリング、２１・・・フォーカスリング、２２・・・ズームリング、２３，２４・・・スイッチ、２５・・・固定ワッシャ、２５ａ・・・立曲げ部、２６・・・固定ビス、２７・・・外装リング